(57)【要約】【課題】複数の新規注文と複数の決済注文とを繰り返し実行可能であり、新規注文の一部が約定されないことに伴う取引処理の複雑化を抑制する金融商品取引管理方法、および、金融商品取引管理システムを提供する。【解決手段】金融商品取引管理方法は、クライアント端末から複数の新規注文予約と複数の決済注文予約を受信する工程と、注文予約から注文を生成する注文生成工程と、新規注文予約を再生する注文予約再生工程とを具備する。注文生成工程は、相場価格が、第ｎ買い注文トリガー価格になると、第ｎ買い注文予約を第ｎ成行買い注文に変換し、第ｎ成行買い注文の生成又は約定を条件として、第ｎ売り注文予約を、第ｎ売り希望価格を指値価格とする第ｎ指値売り注文に変換する。また、注文予約再生工程は、第ｎ指値売り注文の約定をトリガーとして、第ｎ買い注文予約を再生する。【選択図】図５
2019091388.tif 000002
【特許請求の範囲】
【請求項１】
金融商品取引管理システムによって新規買い注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成工程は、
相場価格が、前記第１買い注文トリガー価格になると、前記第１買い注文予約を第１成行買い注文に変換することと、
前記相場価格が、前記第２買い注文トリガー価格になると、前記第２買い注文予約を第２成行買い注文に変換することと、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換することと、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換することと
を含み、
前記注文予約再生工程は、
前記第１指値売り注文の約定または前記第１成行売り注文予約に基づく第１成行売り注文の約定をトリガーとして、前記第１買い注文トリガー価格を含む前記第１買い注文予約を再生すること
を含む
金融商品取引管理方法。
【請求項２】
前記第１買い注文予約が、前記第１成行買い注文に変換されるまでは、顧客資産を前記第１買い注文予約に伴う証拠金として拘束しない
請求項１に記載の金融商品取引管理方法。
【請求項３】
第１買い注文トリガー価格候補および第２買い注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１買い注文トリガー価格候補および前記第２買い注文トリガー価格候補を含む前記複数のトリガー価格候補を決定することを含む
請求項１または２に記載の金融商品取引管理方法。
【請求項４】
金融商品取引管理システムによって新規売り注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成工程は、
相場価格が、前記第１売り注文トリガー価格になると、前記第１売り注文予約を第１成行売り注文に変換することと、
前記相場価格が、前記第２売り注文トリガー価格になると、前記第２売り注文予約を第２成行売り注文に変換することと、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換することと、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換することと
を含み、
前記注文予約再生工程は、
前記第１指値買い注文の約定または前記第１成行買い注文予約に基づく第１成行買い注文の約定をトリガーとして、前記第１売り注文トリガー価格を含む前記第１売り注文予約を再生すること
を含む
金融商品取引管理方法。
【請求項５】
前記第１売り注文予約が、前記第１成行売り注文に変換されるまでは、顧客資産を前記第１売り注文予約に伴う証拠金として拘束しない
請求項１に記載の金融商品取引管理方法。
【請求項６】
第１売り注文トリガー価格候補および第２売り注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１売り注文トリガー価格候補および前記第２売り注文トリガー価格候補を含む前記複数のトリガー価格候補を決定することを含む
請求項４または５に記載の金融商品取引管理方法。
【請求項７】
新規買い注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成部は、
相場価格が、前記第１買い注文トリガー価格になると、前記第１買い注文予約を第１成行買い注文に変換し、
前記相場価格が、前記第２買い注文トリガー価格になると、前記第２買い注文予約を第２成行買い注文に変換し、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換し、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換し、
前記注文予約管理部は、
前記第１指値売り注文の約定または前記第１成行売り注文予約に基づく第１成行売り注文の約定をトリガーとして、前記第１買い注文トリガー価格を含む前記第１買い注文予約を再生し、
前記第２指値売り注文の約定または前記第２成行売り注文予約に基づく第２成行売り注文の約定をトリガーとして、前記第２買い注文トリガー価格を含む前記第２買い注文予約を再生する
金融商品取引管理システム。
【請求項８】
新規売り注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成部は、
相場価格が、前記第１売り注文トリガー価格になると、前記第１売り注文予約を第１成行売り注文に変換し、
前記相場価格が、前記第２売り注文トリガー価格になると、前記第２売り注文予約を第２成行売り注文に変換し、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換し、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換し、
前記注文予約管理部は、
前記第１指値買い注文の約定または前記第１成行買い注文予約に基づく第１成行買い注文の約定をトリガーとして、前記第１売り注文トリガー価格を含む前記第１売り注文予約を再生し、
前記第２指値買い注文の約定または前記第２成行買い注文予約に基づく第２成行買い注文の約定をトリガーとして、前記第２売り注文トリガー価格を含む前記第２売り注文予約を再生する
金融商品取引管理システム。
【発明の詳細な説明】
【技術分野】
【０００１】
本発明は、金融商品取引管理方法、および、金融商品取引管理システムに関する。
【背景技術】
【０００２】
外国為替取引（ＦＸ取引）、株取引等の管理を行う金融商品取引管理システムが知られている。
【０００３】
関連する技術として、特許文献１には、金融商品取引管理方法が開示されている。特許文献１に記載の金融商品取引管理方法は、売買注文申込情報を受信して受け付ける注文入力受付手順と、売買注文申込情報に基づいて注文情報を生成する注文情報生成手順と、相場価格の情報を取得する価格情報受信手順と、注文価格と利幅とに基づいて一の注文価格に対する他の注文価格を算出する第二注文価格算出手順とを有する。注文情報生成手順においては、売買注文申込情報に基づいて、買いもしくは売りの指値注文を行う第一注文情報、売りもしくは買いの指値注文を行う第二注文情報からなる注文情報群が複数生成される。それぞれの注文情報群について第一注文と第二注文とが約定した場合、次の注文情報群の第一注文情報が有効とされ、第一注文と第二注文の約定が繰り返し行われる。
【先行技術文献】
【特許文献】
【０００４】
【特許文献１】特開２０１３−１５２７５０号公報
【発明の概要】
【発明が解決しようとする課題】
【０００５】
特許文献１に記載の金融商品取引管理方法では、新規指値注文である第一注文の約定と決済指値注文である第二注文の約定とが繰り返し行われる。しかし、第一注文が指値注文である場合、第一注文の一部が約定されないことにより、その後の取引処理が複雑化することがある。また、新規指値注文に際しては、第一注文が指値注文であるので、顧客資産が証拠金として拘束される。特に、特許文献１に記載の金融商品取引管理方法では、複数の新規指値注文が同時に出されるため、多額の顧客資産が証拠金として拘束されることとなる。
【０００６】
そこで、本発明の目的は、複数の新規注文と複数の決済注文とを繰り返し実行可能であり、新規注文の一部が約定されないことに伴う取引処理の複雑化を抑制する金融商品取引管理方法、および、金融商品取引管理システムを提供することである。また、本発明の任意付加的な目的は、新規注文予約に際して証拠金が拘束されない金融商品取引管理方法、および、金融商品取引管理システムを提供することである。
【課題を解決するための手段】
【０００７】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【０００８】
いくつかの実施形態における金融商品取引管理方法は、金融商品取引管理システム（１）によって新規注文（新規買い注文又は新規売り注文）と決済注文とを繰り返し実行する金融商品取引管理方法である。当該金融商品取引管理方法は、前記金融商品取引管理システム（１）が、クライアント端末（２）から複数の新規注文予約と複数の決済注文予約を受信する工程と、前記金融商品取引管理システム（１）が、前記複数の新規注文予約および前記複数の決済注文予約のうちの少なくとも１つの注文予約に基づいて注文を生成する注文生成工程と、前記金融商品取引管理システム（１）が、前記複数の新規注文予約のうちの少なくとも一つを再生する注文予約再生工程とを具備する。
【０００９】
上述の金融商品取引管理方法において、前記複数の新規注文予約は、第１買い注文トリガー価格（ＢＴ１）を含む第１買い注文予約（ＢＲ１）と、第２買い注文トリガー価格（ＢＴ２）を含む第２買い注文予約（ＢＲ２）とを含み、前記複数の決済注文予約は、第１売り希望価格（ＳＤ１）を含む第１売り注文予約（ＳＲ１）と、第２売り希望価格（ＳＤ２）を含む第２売り注文予約（ＳＲ２）とを含んでいてもよい。また、前記注文生成工程は、相場価格が、前記第１買い注文トリガー価格（ＢＲ１）になると、前記第１買い注文予約（ＢＲ１）を第１成行買い注文に変換することと、前記相場価格が、前記第２買い注文トリガー価格（ＢＲ２）になると、前記第２買い注文予約（ＢＲ２）を第２成行買い注文に変換することと、前記第１成行買い注文の生成又は約定を条件として、前記第１売り注文予約（ＳＲ１）を、前記第１売り希望価格（ＳＤ１）を指値価格とする第１指値売り注文または前記第１売り希望価格（ＳＤ１）を注文トリガー価格とする第１成行売り注文予約に変換することと、前記第２成行買い注文の生成又は約定を条件として、前記第２売り注文予約（ＳＲ２）を、前記第２売り希望価格（ＳＤ２）を指値価格とする第２指値売り注文または前記第２売り希望価格（ＳＤ２）を注文トリガー価格とする第２成行売り注文予約に変換することとを含んでいてもよい。また、前記注文予約再生工程は、前記第１指値売り注文の約定または前記第１成行売り注文予約に基づく第１成行売り注文の約定をトリガーとして、前記第１買い注文トリガー価格（ＢＴ１）を含む前記第１買い注文予約（ＢＲ１）を再生することを含んでいてもよい。
【００１０】
上記金融商品取引管理方法において、前記第１買い注文予約（ＢＲ１）が、前記第１成行買い注文に変換されるまでは、顧客資産を前記第１買い注文予約（ＢＲ１）に伴う証拠金として拘束しないようにしてもよい。
【００１１】
上記金融商品取引管理方法において、第１買い注文トリガー価格候補および第２買い注文トリガー価格候補を含む複数のトリガー価格候補を決定するトリガー価格候補決定工程と、前記クライアント端末（２）に前記複数のトリガー価格候補を送信する送信工程とを更に具備していてもよい。また、前記トリガー価格候補決定工程は、取引対象金融商品の想定変動幅データに基づいて、前記第１買い注文トリガー価格候補および前記第２買い注文トリガー価格候補を含む前記複数のトリガー価格候補を決定することを含んでいてもよい。
【００１２】
上述の金融商品取引管理方法において、前記複数の新規注文予約は、第１売り注文トリガー価格を含む第１売り注文予約と、第２売り注文トリガー価格を含む第２売り注文予約とを含み、前記複数の決済注文予約は、第１買い希望価格を含む第１買い注文予約と、第２買い希望価格を含む第２買い注文予約とを含んでいてもよい。また、前記注文生成工程は、相場価格が、前記第１売り注文トリガー価格になると、前記第１売り注文予約を第１成行売り注文に変換することと、前記相場価格が、前記第２売り注文トリガー価格になると、前記第２売り注文予約を第２成行売り注文に変換することと、前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換することと、前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換することとを含んでいてもよい。また、前記注文予約再生工程は、前記第１指値買い注文の約定または前記第１成行買い注文予約に基づく第１成行買い注文の約定をトリガーとして、前記第１売り注文トリガー価格を含む前記第１売り注文予約を再生することを含んでいてもよい。
【００１３】
上記金融商品取引管理方法において、前記第１売り注文予約が、前記第１成行売り注文に変換されるまでは、顧客資産を前記第１売り注文予約に伴う証拠金として拘束しないようにしてもよい。
【００１４】
上記金融商品取引管理方法において、第１売り注文トリガー価格候補および第２売り注文トリガー価格候補を含む複数のトリガー価格候補を決定するトリガー価格候補決定工程と、前記クライアント端末に前記複数のトリガー価格候補を送信する送信工程とを更に具備していてもよい。また、前記トリガー価格候補決定工程は、取引対象金融商品の想定変動幅データに基づいて、前記第１売り注文トリガー価格候補および前記第２売り注文トリガー価格候補を含む前記複数のトリガー価格候補を決定することを含んでいてもよい。
【００１５】
いくつかの実施形態における金融商品取引管理システム（１）は、新規注文（新規買い注文又は新規売り注文）と決済注文とを繰り返し実行可能な金融商品取引管理システムである。当該金融商品取引管理システム（１）は、クライアント端末（２）から複数の新規注文予約と複数の決済注文予約を受信する受信部（５０）と、前記複数の新規注文予約と前記複数の決済注文予約を記憶する記憶装置（３０）と、前記複数の新規注文予約および前記複数の決済注文予約のうちの少なくとも１つの注文予約に基づいて注文を生成する注文生成部（７０）と、注文予約管理部（８０）とを具備する。
【００１６】
上述の金融商品取引管理システムにおいて、前記複数の新規注文予約は、第１買い注文トリガー価格（ＢＴ１）を含む第１買い注文予約（ＢＲ１）と、第２買い注文トリガー価格（ＢＴ２）を含む第２買い注文予約（ＢＲ２）とを含み、前記複数の決済注文予約は、第１売り希望価格（ＳＤ１）を含む第１売り注文予約（ＳＲ１）と、第２売り希望価格（ＳＤ２）を含む第２売り注文予約（ＳＲ２）とを含んでいてもよい。また、前記注文生成部（７０）は、相場価格が、前記第１買い注文トリガー価格（ＢＴ１）になると、前記第１買い注文予約（ＢＲ１）を第１成行買い注文に変換し、前記相場価格が、前記第２買い注文トリガー価格（ＢＴ２）になると、前記第２買い注文予約を第２成行買い注文に変換し、前記第１成行買い注文の生成又は約定を条件として、前記第１売り注文予約（ＳＲ１）を、前記第１売り希望価格（ＳＤ１）を指値価格とする第１指値売り注文または前記第１売り希望価格（ＳＤ１）を注文トリガー価格とする第１成行売り注文予約に変換し、前記第２成行買い注文の生成又は約定を条件として、前記第２売り注文予約（ＳＲ２）を、前記第２売り希望価格（ＳＤ２）を指値価格とする第２指値売り注文または前記第２売り希望価格（ＳＤ２）を注文トリガー価格とする第２成行売り注文予約に変換してもよい。前記注文予約管理部（８０）は、前記第１指値売り注文の約定または前記第１成行売り注文予約に基づく第１成行売り注文の約定をトリガーとして、前記第１買い注文トリガー価格（ＢＴ１）を含む前記第１買い注文予約（ＢＲ１）を再生し、前記第２指値売り注文の約定または前記第２成行売り注文予約に基づく第２成行売り注文の約定をトリガーとして、前記第２買い注文トリガー価格（ＢＴ２）を含む前記第２買い注文予約（ＢＲ２）を再生してもよい。
【００１７】
上述の金融商品取引管理システムにおいて、前記複数の新規注文予約は、第１売り注文トリガー価格を含む第１売り注文予約と、第２売り注文トリガー価格を含む第２売り注文予約とを含み、前記複数の決済注文予約は、第１買い希望価格を含む第１買い注文予約と、第２買い希望価格を含む第２買い注文予約とを含んでいてもよい。前記注文生成部（７０）は、相場価格が、前記第１売り注文トリガー価格になると、前記第１売り注文予約を第１成行売り注文に変換し、前記相場価格が、前記第２売り注文トリガー価格になると、前記第２売り注文予約を第２成行売り注文に変換し、前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換し、前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換してもよい。前記注文予約管理部（８０）は、前記第１指値買い注文の約定または前記第１成行買い注文予約に基づく第１成行買い注文の約定をトリガーとして、前記第１売り注文トリガー価格を含む前記第１売り注文予約を再生し、前記第２指値買い注文の約定または前記第２成行買い注文予約に基づく第２成行買い注文の約定をトリガーとして、前記第２売り注文トリガー価格を含む前記第２売り注文予約を再生してもよい。
【発明の効果】
【００１８】
本発明により、複数の新規注文と複数の決済注文とを繰り返し実行可能であり、新規注文の一部が約定されないことに伴う取引処理の複雑化を抑制する金融商品取引管理方法、および、金融商品取引管理システムを提供することができる。
【図面の簡単な説明】
【００１９】
【図１】図１は、金融商品取引管理システムと、クライアント端末と、取引市場との関係を示す模式図である。
【図２】図２は、第１の実施形態における金融商品取引管理システムの機能ブロック図の一例である。
【図３】図３は、各買い注文予約に含まれる買い注文トリガー価格、および、各売り注文予約に含まれる売り希望価格の一例を示す図である。
【図４】図４は、記憶装置が、第ｎ買い注文予約ＢＲｎの状態と、第ｎ買い注文トリガー価格ＢＴｎとを対応付けて記憶し、第ｎ売り注文予約ＳＲｎの状態と、第ｎ売り希望価格ＳＤｎとを対応付けて記憶している様子を示す模式図である。
【図５】図５は、取引相場の変動に応じて、新規の成行買い注文の約定と、決済売り注文の約定とが繰り返し行われる様子を模式的に示す図である。
【図６】図６は、クライアント端末に表示される注文状況一覧テーブルの一例を模式的に示す図である。
【図７】図７は、第１の実施形態における金融商品取引管理方法の一例を示すフローチャートである。
【図８】図８は、第２の実施形態における金融商品取引管理システムの機能ブロック図の一例である。
【図９】図９は、クライアント端末に表示される画面の一例を示す図である。
【図１０】図１０は、クライアント端末に表示される画面の一例を示す図である。
【図１１Ａ】図１１Ａは、第２の実施形態における金融商品取引管理方法の一例を示すフローチャートである。
【図１１Ｂ】図１１Ｂは、第２の実施形態における金融商品取引管理方法の一例を示すフローチャートである。
【図１１Ｃ】図１１Ｃは、第２の実施形態における金融商品取引管理方法の一例を示すフローチャートである。
【発明を実施するための形態】
【００２０】
以下、実施形態における金融商品取引管理システム１、および、金融商品取引管理方法に関して、添付図面を参照して説明する。なお、以下の説明において、同じ機能を有する部材、部位については、同一の符号が付され、同一の符号が付されている部材、部位について、繰り返しの説明は省略される。
【００２１】
（用語の定義）
新規注文と決済注文とを繰り返し実行する取引のことを「サイクル取引」と定義する。また、本明細書において、「ｎ」は、１以上の任意の自然数を意味し、「ｋ」は、３以上の任意の自然数を意味する。
【００２２】
（実施形態）
図１を参照して、実施形態における金融商品取引管理システム１と、クライアント端末２と、取引市場３との関係について説明する。図１は、金融商品取引管理システム１と、クライアント端末２と、取引市場３との関係を示す模式図である。
【００２３】
金融商品取引管理システム１は、インターネット等のネットワークＮ１を介して、少なくとも１つのクライアント端末２と情報伝達可能に接続されている。金融商品取引管理システム１は、クライアント端末２に金融商品取引に必要な情報を提供し、クライアント端末２から注文予約データ等の各種データを受け取る。
【００２４】
金融商品取引管理システム１は、ネットワークＮ２を介して、金融商品の取引市場３（より具体的には、金融商品売買システム）と情報伝達可能に接続されている。金融商品は、例えば、外国為替、株式等である。金融商品取引管理システム１は、取引市場３に、注文情報等の各種情報を送信し、取引市場３から、相場価格情報、注文約定情報等の各種情報を受信する。なお、金融商品取引管理システム１自体が、取引市場３として機能しても構わない。この場合、金融商品取引管理システム１と取引市場３との間の通信が省略されてもよい。
【００２５】
以下の実施形態（第１の実施形態および第２の実施形態）では、金融商品取引管理システム１が、米ドル（ＵＳＤ）と日本円（ＪＰＹ）とを交換する外国為替取引（より具体的には、外国為替証拠金取引）を管理する例について説明されるが、金融商品取引管理システム１は、他の通貨ペアの外国為替取引を管理してもよいし、株式等のように外国通貨以外の金融商品の取引を管理してもよい。また、以下の実施形態では、新規注文が買い注文であり、決済注文が売り注文である例について説明されるが、新規注文が売り注文であり、決済注文が買い注文であってもよい。更に、代替的に、複数の新規注文のうちの一部が買い注文であり、複数の新規注文のうちの他の一部が売り注文であり、複数の決済注文のうちの一部が売り注文であり、複数の決済注文のうちの他の一部が買い注文であってもよい。
【００２６】
（第１の実施形態）
図２乃至図６を参照して、第１の実施形態における金融商品取引管理システム１Ａについて説明する。図２は、第１の実施形態における金融商品取引管理システム１Ａの機能ブロック図の一例である。図３は、各買い注文予約（ＢＲｎ）に含まれる買い注文トリガー価格（ＢＴｎ）、および、各売り注文予約（ＳＲｎ）に含まれる売り希望価格（ＳＤｎ）の一例を示す図である。図４（ａ）は、記憶装置２０が、第ｎ買い注文予約ＢＲｎの状態と、第ｎ買い注文トリガー価格ＢＴｎとを対応付けて記憶している様子を模式的に示す図であり、図４（ｂ）は、記憶装置２０が、第ｎ売り注文予約ＳＲｎの状態と、第ｎ売り希望価格ＳＤｎとを対応付けて記憶している様子を示す模式図である（なお、「ｎ」は、１以上の任意の自然数、すなわち、「１」、「２」または「ｋ」である）。図５は、取引相場の変動に応じて、新規の成行買い注文の約定と、決済売り注文の約定とが繰り返し行われる様子を模式的に示す図である。図６は、クライアント端末２に表示される注文状況一覧テーブルの一例を模式的に示す図である。
【００２７】
金融商品取引管理システム１Ａは、新規買い注文と決済注文とを繰り返し実行可能な金融商品取引管理システムである。換言すれば、金融商品取引管理システム１Ａは、サイクル取引を実行可能な金融商品取引管理システムである。金融商品取引管理システム１Ａは、少なくとも１つのコンピュータ１０と、少なくとも１つの記憶装置２０と、少なくとも１つの通信インターフェース３０とを備える。
【００２８】
コンピュータ１０は、記憶装置２０に記憶されたプログラムを実行することにより、後述の相場情報取得部４０（相場情報取得手段）、受信部５０（受信手段）、注文予約管理部６０（注文予約管理手段）、注文生成部７０（注文生成手段）、注文送信部８０（注文送信手段）として機能する。
【００２９】
記憶装置２０は、各種プログラム、金融商品取引に必要な各種データ等を記憶する。記憶装置２０は、半導体メモリ等の電気的記憶装置であってもよいし、磁気的記憶装置であってもよいし、光学的記憶装置であってもよい。
【００３０】
通信インターフェース３０Ａは、ネットワークＮ１に情報（例えば、データ）を送信し、ネットワークＮ１から情報（例えば、データ）を受信する。例えば、通信インターフェース３０Ａは、ネットワークＮ１を介して、クライアント端末２から注文予約データ等の各種データを受信し、受信した各種データをコンピュータ１０に伝達する。また、通信インターフェース３０Ａは、コンピュータ１０から金融商品取引に必要な情報を受け取り、受け取った情報を、ネットワークＮ１を介してクライアント端末２に送信する。
【００３１】
通信インターフェース３０Ｂは、ネットワークＮ２に情報（例えば、データ）を送信し、ネットワークＮ２から情報（例えば、データ）を受信する。例えば、通信インターフェース３０Ｂは、ネットワークＮ２を介して、取引市場３（より具体的には、取引市場３の金融商品売買システム）から相場価格情報、注文約定情報等の各種情報を受信し、受信した各種情報をコンピュータ１０に伝達する。また、通信インターフェース３０Ｂは、コンピュータ１０から金融商品取引に必要なデータを受け取り、受け取ったデータを、ネットワークＮ２を介して取引市場３に送信する。なお、ネットワークＮ２は、ネットワークＮ１と同一のネットワークでもよいし、ネットワークＮ１とは異なるネットワークでもよい。
【００３２】
続いて、相場情報取得部４０、受信部５０、注文予約管理部６０、注文生成部７０、注文送信部８０について説明する。
【００３３】
相場情報取得部４０は、取引市場３から、現在の取引相場価格等の情報を取得する。現在の取引相場価格は、例えば、注文生成部７０が注文を生成する際に利用される。
【００３４】
受信部５０は、クライアント端末２から複数の新規注文予約と複数の決済注文予約を受信する。受信部５０が受信した複数の新規注文予約および複数の決済注文予約は、記憶装置２０に記憶される。
【００３５】
複数の新規注文予約には、第１買い注文トリガー価格ＢＴ１を含む第１買い注文予約ＢＲ１と、第２買い注文トリガー価格ＢＴ２を含む第２買い注文予約ＢＲ２とが含まれている（図３を参照）。新規注文予約には、第ｋ買い注文トリガー価格ＢＴｋを含む第ｋ買い注文予約ＢＲｋが含まれていてもよい。
【００３６】
複数の決済注文予約には、第１売り希望価格ＳＤ１を含む第１売り注文予約ＳＲ１と、第２売り希望価格ＳＤ２を含む第２売り注文予約ＳＲ２とが含まれている（図３を参照）。決済注文予約には、第ｋ売り希望価格ＳＤｋを含む第ｋ売り注文予約ＳＲｋが含まれていてもよい。
【００３７】
図３に例示されるように、第１買い注文トリガー価格ＢＴ１が「１００円」であり、第２買い注文トリガー価格ＢＴ２が「９５円」であり、第３買い注文トリガー価格ＢＴ３が「９０円」であり、第１売り希望価格ＳＤ１が「１０５円」であり、第２売り希望価格ＳＤ２が「１００円」であり、第３売り希望価格ＳＤ３が「９５円」である場合を想定する。この場合、金融商品取引管理システム１Ａは、概ね「１００円」でＵＳＤを購入して「１０５円」でＵＳＤを売却する取引を管理し、概ね「９５円」でＵＳＤを購入して「１００円」でＵＳＤを売却する取引を管理し、概ね「９０円」でＵＳＤを購入して「９５円」でＵＳＤを売却する取引を管理することとなる。詳細については、後述される。
【００３８】
注文予約管理部６０は、クライアント端末２から受信した複数の新規注文予約および複数の決済注文予約の状態を管理する。
【００３９】
注文予約管理部６０は、受信部５０がクライアント端末２から、第１買い注文予約ＢＲ１、第２買い注文予約ＢＲ２を含む複数の新規注文予約、および、第１売り注文予約ＳＲ１、第２売り注文予約ＳＲ２を含む複数の決済注文予約を受信すると、第１買い注文予約ＢＲ１、第２買い注文予約ＢＲ２を含む複数の新規注文予約をアクティブ状態にし、第１売り注文予約ＳＲ１、第２売り注文予約ＳＲ２を含む複数の決済注文予約を非アクティブ状態にする。
【００４０】
また、図４に示されるように、記憶装置２０は、注文予約管理部６０からの指令に応じて、第１買い注文予約ＢＲ１の状態と、第１買い注文トリガー価格ＢＴ１（例えば、「１００円」）とを対応付けて記憶し、第２買い注文予約ＢＲ２の状態と、第２買い注文トリガー価格ＢＴ２（例えば、「９５円」）とを対応付けて記憶し、第１売り注文予約ＳＲ１の状態と、第１売り希望価格ＳＤ１（例えば、「１０５円」）とを対応付けて記憶し、第２売り注文予約ＳＲ２の状態と、第２売り希望価格ＳＤ２（例えば、「１００円」）とを対応付けて記憶する。
【００４１】
なお、記憶装置２０は、注文予約管理部６０からの指令に応じて、第ｎ買い注文予約ＢＲｎの状態と、第ｎ買い注文トリガー価格ＢＴｎと、取引対象の金融商品の種類を示すデータとを対応付けて記憶してもよいし、第ｎ買い注文予約ＢＲｎの状態と、第ｎ買い注文トリガー価格ＢＴｎと、取引対象の金融商品の種類を示すデータと、取引数量とを対応付けて記憶してもよい。同様に、記憶装置２０は、注文予約管理部６０からの指令に応じて、第ｎ売り注文予約ＳＲｎの状態と、第ｎ売り希望価格ＳＤｎと、取引対象の金融商品の種類を示すデータとを対応付けて記憶してもよいし、第ｎ売り注文予約ＳＲｎの状態と、第ｎ売り希望価格ＳＤｎと、取引対象の金融商品の種類を示すデータと、取引数量とを対応付けて記憶してもよい。
【００４２】
注文生成部７０は、複数の新規注文予約および複数の決済注文予約のうちの少なくとも１つの注文予約に基づいて注文を生成する。より具体的には、注文生成部７０は、アクティブ状態の新規注文予約（または、アクティブ状態の決済注文予約）を、取引市場３に送信する注文に変換する。
【００４３】
第１買い注文予約ＢＲ１、第２買い注文予約ＢＲ２を含む複数の新規注文予約がアクティブ状態である場合（図４に示される状態）を想定する。
【００４４】
注文生成部７０は、相場価格（より具体的には、相場情報取得部４０が取得する現在の相場価格）が、第１買い注文トリガー価格（例えば、「１００円」）になると、上述の第１買い注文予約ＢＲ１を第１成行買い注文に変換する。換言すれば、相場価格が、第１買い注文トリガー価格（例えば、「１００円」）になると、注文生成部７０は、ＵＳＤの成行買い注文を生成し、注文送信部８０は、ＵＳＤの成行買い注文を取引市場３に送信する。その結果、概ね「１００円」（相場価格の時価）で１ＵＳＤが購入される（図５の「Ａ」を参照）。
【００４５】
なお、注文生成部７０が第１買い注文予約ＢＲ１を第１成行買い注文に変換するのに応じて、注文予約管理部６０は、第１買い注文予約ＢＲ１を非アクティブ状態にし、第１売り注文予約ＳＲ１をアクティブ状態にする。ここで、第１売り注文予約ＳＲ１は、第１成行買い注文が約定したのに応じて、アクティブ状態にされることとしてもよく、このことは、第１売り注文予約ＳＲ１以外の売り注文予約、すなわち、第ｎ売り注文予約ＳＲｎでも同様である。
【００４６】
注文生成部７０は、相場価格（より具体的には、相場情報取得部４０が取得する現在の相場価格）が、第２買い注文トリガー価格（例えば、「９５円」）になると、上述の第２買い注文予約を第２成行買い注文に変換する。換言すれば、相場価格が、第２買い注文トリガー価格（例えば、「９５円」）になると、注文生成部７０は、ＵＳＤの成行買い注文を生成し、注文送信部８０は、ＵＳＤの成行買い注文を取引市場３に送信する。その結果、概ね「９５円」で１ＵＳＤが購入される（図５の「Ｂ」を参照）。
【００４７】
なお、注文生成部７０が第２買い注文予約ＢＲ２を第２成行買い注文に変換するのに応じて、注文予約管理部６０は、第２買い注文予約ＢＲ２を非アクティブ状態にし、第２売り注文予約ＳＲ２をアクティブ状態にする。
【００４８】
同様に、注文生成部７０は、相場価格が、第ｋ買い注文トリガー価格になると、第ｋ買い注文予約を第ｋ成行買い注文に変換する。また、注文生成部７０が第ｋ成行買い注文を生成するのに応じて、注文送信部８０は、ＵＳＤの成行買い注文を取引市場３に送信する。その結果、概ね、第ｋ買い注文トリガー価格ＢＴｋで１ＵＳＤが購入される（図５の「Ｃ」を参照）。なお、注文生成部７０が第ｋ買い注文予約ＢＲｋを第ｋ成行買い注文に変換するのに応じて、注文予約管理部６０は、第ｋ買い注文予約ＢＲｋを非アクティブ状態にし、第ｋ売り注文予約ＳＲｋをアクティブ状態にする。
【００４９】
注文生成部７０は、第１成行買い注文の生成又は約定（例えば、１００円近傍での成行買い注文の約定）を条件として、第１売り注文予約ＳＲ１を、第１売り希望価格ＳＤ１（例えば、「１０５円」）を指値価格とする第１指値売り注文に変換する。
【００５０】
注文生成部７０が、第１売り注文予約ＳＲ１を第１指値売り注文に変換するのに応じて、注文送信部８０は、ＵＳＤの指値売り注文を取引市場３に送信する。また、注文生成部７０が、第１売り注文予約ＳＲ１を第１指値売り注文に変換するのに応じて、注文予約管理部６０は、第１売り注文予約ＳＲ１を非アクティブ状態にする。
【００５１】
図５に記載の例では、相場価格が、第１指値売り注文の指値価格「１０５円」になると、「１０５円」で１ＵＳＤが売却される（図５の「Ｄ」を参照）。また、第１指値売り注文の約定をトリガーとして、注文予約管理部６０は、第１買い注文予約ＢＲ１を再生する（換言すれば、アクティブ状態にする）。
【００５２】
注文生成部７０は、第２成行買い注文の生成又は約定（例えば、９５円近傍での成行買い注文の約定）を条件として、第２売り注文予約ＳＲ２を、第２売り希望価格ＳＤ２（例えば、「１００円」）を指値価格とする第２指値売り注文に変換する。
【００５３】
注文生成部７０が、第２売り注文予約ＳＲ２を第２指値売り注文に変換するのに応じて、注文送信部８０は、ＵＳＤの指値売り注文を取引市場３に送信する。また、注文生成部７０が、第２売り注文予約ＳＲ２を第２指値売り注文に変換するのに応じて、注文予約管理部６０は、第２売り注文予約ＳＲ２を非アクティブ状態にする。
【００５４】
図５に記載の例では、相場価格が、第２指値売り注文の指値価格「１００円」になると、「１００円」で１ＵＳＤが売却される（図５の「Ｅ」を参照）。また、第２指値売り注文の約定をトリガーとして、注文予約管理部６０は、第２買い注文予約ＢＲ２を再生する（換言すれば、アクティブ状態にする）。
【００５５】
同様に、注文生成部７０は、第ｋ成行買い注文の生成又は約定を条件として、第ｋ売り注文予約ＳＲｋを、第ｋ売り希望価格ＳＤｋを指値価格とする第ｋ指値売り注文に変換する。そして、注文生成部７０が、第ｋ売り注文予約ＳＲｋを第ｋ指値売り注文に変換するのに応じて、注文送信部８０は、ＵＳＤの指値売り注文を取引市場３に送信し、注文予約管理部６０は、第ｋ売り注文予約ＳＲｋを非アクティブ状態にする。
【００５６】
第１買い注文予約ＢＲ１が再生された後に、相場価格が、第１買い注文トリガー価格ＢＴ１（例えば、「１００円」）になると、注文生成部７０は、第１買い注文予約ＢＲ１を第１成行買い注文に変換する。そして、注文送信部８０は、ＵＳＤの成行買い注文を取引市場３に送信する。その結果、概ね「１００円」で１ＵＳＤが購入される（図５の「Ｆ」を参照）。こうして、第１成行買い注文と、第１指値売り注文とからなる第１注文ペアが繰り返し実行される。
【００５７】
第２買い注文予約ＢＲ２が再生された後に、相場価格が、第２買い注文トリガー価格ＢＴ２（例えば、「９５円」）になると、注文生成部７０は、第２買い注文予約ＢＲ２を第２成行買い注文に変換する。そして、注文送信部８０は、ＵＳＤの成行買い注文を取引市場３に送信する。その結果、概ね「９５円」で１ＵＳＤが購入される（図５の「Ｈ」を参照）。こうして、第２成行買い注文と、第２指値売り注文とからなる第２注文ペアが繰り返し実行される。
【００５８】
同様に、第ｋ買い注文予約ＢＲｋが再生された後に、相場価格が、第ｋ買い注文トリガー価格ＢＴｋになると、注文生成部７０は、第ｋ買い注文予約ＢＲｋを第ｋ成行買い注文に変換する。そして、注文送信部８０は、ＵＳＤの成行買い注文を取引市場３に送信する。こうして、第ｋ成行買い注文と、第ｋ指値売り注文とからなる第ｋ注文ペアが繰り返し実行される。
【００５９】
第１の実施形態における金融商品取引管理システム１Ａでは、複数の新規注文と複数の決済注文とを繰り返し実行可能であるため、顧客（ユーザー）は、取引相場の変動を常時監視することなく、効率的に金融商品の取引を実行することができる。
【００６０】
また、第１の実施形態における金融商品取引管理システム１Ａでは、新規の買い注文が成行注文である。このため、買い注文の執行に際して、注文が確実に約定される。よって、新規注文の一部が約定し、他の一部が約定しないことにより、その後の取引処理が複雑化することがない。また、顧客にとっては、自己のポジションの把握が容易となる。他方、特許文献１（特開２０１３−１５２７５０号公報）に記載の金融商品取引管理方法では、例えば、第１新規買い注文が全約定し、第２新規買い注文が一部約定するような状態が発生し得るため、顧客は、自己のポジション、例えば、平均購入単価等を把握しにくい。
【００６１】
上述の例では、決済注文が指値注文である例について説明された。代替的に、決済注文は、成行注文であってもよい。この場合、注文生成部７０は、第ｎ成行買い注文の生成又は約定を条件として、第ｎ売り注文予約を、第ｎ売り希望価格をトリガー価格とする第ｎ成行売り注文予約に変換する。そして、注文生成部７０は、相場価格が、第ｎ売り希望価格になると、上述の第ｎ成行売り注文予約を第ｎ成行売り注文に変換し、注文送信部８０は、当該第ｎ成行売り注文を取引市場３に送信する。その結果、概ね、第ｎ売り希望価格で１ＵＳＤが売却される。また、注文予約管理部６０は、第ｎ買い注文予約を再生する（換言すれば、アクティブ状態にする）。こうして、第ｎ成行買い注文と、第ｎ成行売り注文とからなる注文ペアが繰り返し実行される。
【００６２】
ただし、決済注文を指値注文にする場合には、顧客は、クライアント端末２の画面上で注文状況一覧画面を見れば、指値注文の指値価格等を確認することができる（図６を参照）。これに対し、決済注文を成行注文とする場合には、当該決済注文は、決済注文の約定の直前まで有効な注文ではない。このため、顧客は、クライアント端末２の画面上で注文状況一覧画面を見ても、当該成行注文の存在、あるいは、成行注文が出されるトリガー価格等を把握することができない。以上のとおりであるから、第１の実施形態における決済注文は指値注文であることが好ましい。または、クライアント端末２の画面上において、図４（ａ）及び図４（ｂ）のような第ｎ成行買い注文予約及び第ｎ成行売り注文予約を表示するようにしてもよい。この場合、第１の実施形態における決済注文を指値注文にしてもよいし成行注文にしてもよい。
【００６３】
（証拠金管理部９０）
図２に示されるように、第１の実施形態における金融商品取引管理システム１Ａは、証拠金管理部９０を更に具備していてもよい。この場合、金融商品取引管理システム１Ａのコンピュータ１０は、記憶装置２０に記憶されたプログラムを実行することにより、証拠金管理部９０（証拠金管理手段）として機能する。
【００６４】
証拠金管理部９０は、第１買い注文予約ＢＲ１が、第１成行買い注文に変換されるまでは、顧客資産（顧客の対象資産）を第１買い注文予約に伴う証拠金として拘束しない。そして、証拠金管理部９０は、第１成行買い注文の生成または約定に応じて、顧客資産の一部を、ポジション保有に伴う証拠金として拘束する。
【００６５】
同様に、証拠金管理部９０は、第ｎ買い注文予約ＢＲｎが、第ｎ成行買い注文に変換されるまでは、顧客資産（顧客の対象資産）を第ｎ買い注文予約に伴う証拠金として拘束しない。この場合、証拠金管理部９０は、第ｎ成行買い注文の生成または約定に応じて、顧客資産の一部を、ポジション保有に伴う証拠金として拘束する。
【００６６】
証拠金管理部９０が、顧客資産を、買い注文予約に伴う証拠金として拘束しないことは、顧客の運用の選択肢が広がることを意味する。例えば、顧客は、買い注文予約を出しつつ、証拠金として拘束されていない資産を用いて、他の取引（通常の指値取引、通常の成行取引、あるいは、他の通過ペアを用いたサイクル取引）を行うことができる。
【００６７】
ＵＳＤがＪＰＹに対して下落基調にあるとき、上述の第１の実施形態におけるサイクル取引では、損失が拡大するおそれがある。そこで、ＵＳＤがＪＰＹに対して下落するときには、Ａ国通貨がＪＰＹに対して上昇する傾向がある場合を想定する。この場合、ＵＳＤを新規に購入することを含む第１の実施形態におけるサイクル取引と、Ａ国通貨を新規に購入することを含む第１の実施形態におけるサイクル取引とを同時に行えば、ＵＳＤが下落基調にあるときのリスクヘッジとなる。例えば、ＵＳＤの下落により損失が拡大しても、Ａ国通貨の上昇により損失の一部を埋め合わせることが可能である。以上のとおり、第１の実施形態において、顧客資産が買い注文予約に伴う証拠金として拘束されない場合には、運用効率を低下させることなく、２つのサイクル取引を同時に実行してリスクヘッジをすることができる。
【００６８】
これに対し、特許文献１（特開２０１３−１５２７５０号公報）に記載の金融商品取引管理方法では、多額の顧客資産が証拠金として拘束されることとなるため、運用効率を低下させることなくリスクヘッジを行うことが困難である。
【００６９】
（金融商品取引管理方法）
図７を参照して、第１の実施形態における金融商品取引管理方法について説明する。図７は、第１の実施形態における金融商品取引管理方法の一例を示すフローチャートである。
【００７０】
第１の実施形態における金融商品取引管理方法は、金融商品取引管理システム１によって新規買い注文と決済注文とを繰り返し実行する金融商品取引管理方法である。金融商品取引管理システム１は、第１の実施形態における金融商品取引管理システム１Ａであってもよいし、その他の金融商品取引管理システムであってもよい。
【００７１】
第１ステップＳＴ１において、金融商品取引管理システム１は、クライアント端末２から複数の新規注文予約と複数の決済注文予約を受信する。換言すれば、第１ステップＳＴ１は、注文予約受信工程である。なお、金融商品取引管理システム１は、受信した複数の新規注文予約と複数の決済注文予約を、記憶装置２０に記憶する。
【００７２】
上述の複数の新規注文予約は、第ｎ買い注文トリガー価格ＢＴｎを含む第ｎ買い注文予約ＢＲｎを含む。また、上述の複数の決済注文予約は、第ｎ売り希望価格ＳＤｎを含む第ｎ売り注文予約ＳＲｎを含む。
【００７３】
第２ステップＳＴ２では、金融商品取引管理システム１は、相場価格が、アクティブ状態の第ｎ買い注文予約ＢＲｎの第ｎ買い注文トリガー価格ＢＴｎになったか否かを判定する。相場価格が、第ｎ買い注文トリガー価格ＢＴｎになっていない場合（第２ステップＳＴ２：Ｎｏ）、第２ステップＳＴ２に戻る。他方、相場価格が、第ｎ買い注文トリガー価格ＢＴｎになった場合、第３ステップＳＴ３に進む。
【００７４】
第３ステップＳＴ３において、金融商品取引管理システム１は、複数の新規注文予約および複数の決済注文予約のうちの少なくとも１つの注文予約に基づいて注文を生成する。換言すれば、第３ステップＳＴ３は、注文生成工程である。
【００７５】
より具体的には、注文生成工程は、相場価格が、第ｎ買い注文トリガー価格ＢＴｎになると、金融商品取引管理システム１が、第ｎ買い注文予約ＢＲｎを第ｎ成行買い注文に変換することを含む。なお、第ｎ買い注文予約ＢＲｎが第ｎ成行注文に変換されると、金融商品取引管理システム１は、第ｎ買い注文予約ＢＲｎを、非アクティブ状態にする。非アクティブ状態の第ｎ買い注文予約ＢＲｎは、成行買い注文に変換されない。
【００７６】
また、第ｎ成行注文の生成または約定をトリガーとして、金融商品取引管理システム１は、第ｎ売り注文予約ＳＲｎを、アクティブ状態にする。より具体的には、金融商品取引管理システム１は、第ｎ売り注文予約を、第ｎ売り希望価格ＳＤｎを指値価格とする第ｎ指値売り注文に変換する。
【００７７】
例えば、相場価格が、第１買い注文トリガー価格ＢＴ１（例えば、「１００円」）になる場合を想定する。この場合、金融商品取引管理システム１は、第１買い注文予約ＢＲ１を第１成行買い注文に変換し、第１成行買い注文を取引市場３に送信する。また、金融商品取引管理システム１は、第１買い注文予約ＢＲ１を、非アクティブ状態にする。金融商品取引管理システム１は、第１成行注文の生成または約定をトリガーとして、第１売り注文予約ＳＲ１を、第１売り希望価格ＳＤ１（例えば、「１０５円」）を指値価格とする第１指値売り注文に変換する。
【００７８】
第４ステップＳＴ４において、金融商品取引管理システム１は、第ｎ指値売り注文が約定したか否かを判定する。第ｎ指値売り注文が約定していない場合（第４ステップＳＴ４：「Ｎｏ」）、第４ステップＳＴ４に戻る。
【００７９】
他方、第ｎ指値売り注文が約定した場合、第５ステップＳＴ５に進む。例えば、第１指値売り注文（例えば、「１０５円」を指値価格とする売り注文）が約定した場合、第５ステップＳＴ５に進む。
【００８０】
第５ステップＳＴ５において、金融商品取引管理システム１は、複数の新規注文予約のうちの少なくとも一つを再生する。換言すれば、第５ステップＳＴ５は、注文予約再生工程である。
【００８１】
より具体的には、注文予約再生工程は、第ｎ指値売り注文の約定をトリガーとして、金融商品取引管理システム１が、第ｎ買い注文トリガー価格ＢＴｎを含む第ｎ買い注文予約ＢＲｎを再生すること、換言すれば、第ｎ買い注文予約ＢＲｎをアクティブ状態に戻すことを含む。
【００８２】
例えば、第４ステップＳＴ４において、第１指値売り注文（例えば、「１０５円」を指値価格とする売り注文）が約定した場合、金融商品取引管理システム１は、第１買い注文トリガー価格ＢＴ１（例えば、「１００円」）を含む第１買い注文予約ＢＲ１を再生する。
【００８３】
第５ステップＳＴ５の実行後、第２ステップＳＴ２に戻る。
【００８４】
上述の第２ステップＳＴ２乃至第５ステップＳＴ５は、顧客による注文のキャンセル、取引市場３における取引時間の終了、顧客が別途指定した有効期間の満了、規定の繰り返し回数を満たしたこと、証拠金の不足等の取引終了トリガーが発生するまで繰り返し実行される。
【００８５】
第１の実施形態における金融商品取引管理方法は、第１の実施形態における金融商品取引管理システムと同様の効果を奏する。
【００８６】
上述の金融商品取引管理方法では、決済注文が指値注文である例について説明された。代替的に、決済注文は、成行注文であってもよい。この場合、金融商品取引管理システム１は、第ｎ成行買い注文の生成又は約定を条件として、第ｎ売り注文予約を、第ｎ売り希望価格ＳＤｎをトリガー価格とする第ｎ成行売り注文予約に変換する。そして、金融商品取引管理システム１は、相場価格が、第ｎ売り希望価格ＳＤｎになると、上述の第ｎ成行売り注文予約を第ｎ成行売り注文に変換し、金融商品取引管理システム１は、当該第ｎ成行売り注文を取引市場３に送信する。その結果、概ね、第ｎ売り希望価格で１ＵＳＤが売却される。また、金融商品取引管理システム１は、第ｎ買い注文予約ＢＲｎを再生する（換言すれば、アクティブ状態にする）。こうして、第ｎ成行買い注文と、第ｎ成行売り注文とからなる注文ペアが繰り返し実行される。
【００８７】
上述の第１の実施形態では、新規注文が買い注文であり、決済注文が売り注文である例について説明された。代替的に、新規注文が売り注文であり、決済注文が買い注文であってもよい。この場合、上述の第１の実施形態の説明において、「買い」、「売り」、「購入」、「売却」、「上昇」、「下落」、「１０５円」、「１００円」、「９５円」、「９０円」を、それぞれ、「売り」、「買い」、「売却」、「購入」、「下落」、「上昇」、「９５円」、「１００円」、「１０５円」、「１１０円」に読み替えれば、新規注文が売り注文であり、決済注文が買い注文である場合の説明となる。
【００８８】
（第２の実施形態）
図８乃至図１０を参照して、第２の実施形態における金融商品取引管理システム１Ｂについて説明する。図８は、第２の実施形態における金融商品取引管理システム１Ｂの機能ブロック図の一例である。図９および図１０は、クライアント端末２に表示される画面１３０の一例を示す図である。
【００８９】
第２の実施形態では、第１の実施形態と異なる点を中心に説明する。他方、第２の実施形態では、第１の実施形態で説明済みの事項についての繰り返しとなる説明は省略する。したがって、第２の実施形態において、明示的に説明をしなかったとしても、第１の実施形態において説明済みの事項を第２の実施形態に適用できることは言うまでもない。
【００９０】
第２の実施形態における金融商品取引管理システム１Ｂは、少なくとも１つのコンピュータ１０を備える。コンピュータ１０は、記憶装置２０に記憶されたプログラムを実行することにより、例えば、相場情報取得部４０、受信部５０、注文生成部７０、注文予約管理部６０、注文送信部８０、証拠金管理部９０として機能する。また、金融商品取引管理システム１Ｂは、少なくとも１つの記憶装置２０および少なくとも１つの通信インターフェース３０を備える。
【００９１】
金融商品取引管理システム１Ｂは、送信部１１０と、価格候補決定部１２０とを備えていてもよい。この場合、金融商品取引管理システム１Ｂのコンピュータ１０は、記憶装置２０に記憶されたプログラムを実行することにより、送信部１１０（データ送信手段）、価格候補決定部１２０（価格候補決定手段）として機能する。
【００９２】
送信部１１０は、コンピュータ１０によって生成されたデータまたは指令等をクライアント端末２に向けて送信する。価格候補決定部１２０の詳細については後述される。
【００９３】
（画面１３０）
次に、図９および図１０を参照して、クライアント端末２に表示される画面１３０の一例について説明する。
【００９４】
図９には、クライアント端末２に表示される第１入力画面１３０Ａが示されている。第１入力画面１３０Ａには、金融商品の種類（例えば、外国為替取引における通過ペアの種類）を入力するための第１入力欄１３１と、注文の種類を入力するための第２入力欄１３２とが表示されている。第２入力欄１３２に入力可能な注文の種類には、実施形態における「サイクル取引」、通常の指値注文（逆指値注文を含む）、通常の成行注文等が含まれる。
【００９５】
図９に記載の例では、第１入力欄１３１に、金融商品の種類が入力されると、画面１３０上に、当該金融商品の値動きを示す情報が表示される。代替的に、当該値動きを示す情報の表示は省略されてもよい。
【００９６】
第２入力欄１３２に、「サイクル取引」が入力されると、第１入力画面１３０Ａには、サイクル取引の情報入力欄１３３が表示される。図９に記載の例では、情報入力欄１３３は、参照期間を入力する参照期間入力欄１３３ａと、想定変動幅を入力する想定変動幅入力欄１３３ｂと、ポジション方向を入力するポジション方向入力欄１３３ｃと、対象資産を入力する資産入力欄１３３ｄとを含む。
【００９７】
参照期間入力欄１３３ａには、第１入力欄１３１に入力された金融商品（以下、「取引対象金融商品」という。）の想定変動幅を算出するための参照期間が入力される。想定変動幅は、例えば、取引対象金融商品の過去の所定期間（参照期間）における変動幅（例えば、上限値と下限値との間の差分）である。具体的には、参照期間が１年である場合、直近の１年における相場の変動に基づいて、想定変動幅が算出される。なお、参照期間は、固定値であってもよい。この場合、参照期間入力欄１３３ａは省略される。
【００９８】
想定変動幅入力欄１３３ｂには、想定変動幅が入力される。なお、想定変動幅の候補値が、想定変動幅入力欄１３３ｂに表示され、顧客が、当該候補値を参考に、想定変動幅を決定してもよい。なお、想定変動幅の候補値は、金融商品取引管理システム１Ｂが、参照期間（例えば、１年）に基づいて算出する。
【００９９】
金融商品取引管理システム１Ｂが、想定変動幅の候補値を算出するアルゴリズムの一例について説明する。過去の参照期間（例えば、１年）の間に、ＵＳＤの対ＹＥＮ価格が、１ＵＳＤ＝１００円から、１ＵＳＤ＝１１５円までの間で変動した場合を想定する。この場合、金融商品取引管理システム１Ｂは、想定変動幅を、１５円（１１５円−１００円＝１５円）と算出する。
【０１００】
金融商品取引管理システム１Ｂの送信部１１０は、算出された想定変動幅の候補値、および、当該候補値を想定変動幅入力欄１３３ｂに表示させる指令を、クライアント端末２に送信する。
【０１０１】
なお、図９に記載の例では、顧客は、想定変動幅の値を変更することができる。代替的に、想定変動幅の値の変更を許容しない場合には、想定変動幅入力欄１３３ｂは省略される。
【０１０２】
ポジション方向を入力するポジション方向入力欄１３３ｃには、例えば、「買」または「売」が入力される。ポジション方向入力欄１３３ｃに「買」が入力された場合、新規注文が買い注文で、決済注文が売り注文となる。他方、ポジション方向入力欄１３３ｃに「売」が入力された場合、新規注文が売り注文で、決済注文が買い注文となる。よって、ポジション方向は、新規注文の売買種別に対応すると言える。
【０１０３】
資産入力欄１３３ｄには、サイクル取引で運用する対象資産の金額が入力される。資産入力欄１３３ｄに入力された対象資産の金額に応じて、金融商品取引管理システム１Ｂが、新規注文予約の本数（換言すれば、最大ポジション数）を算出するようにしてもよい。
【０１０４】
図９に記載の例では、第１入力画面１３０Ａに計算ボタン１３４が含まれている。顧客が計算ボタン１３４をクリックすると、各入力欄（第１入力欄１３１、第２入力欄１３２、参照期間入力欄１３３ａ、想定変動幅入力欄１３３ｂ、ポジション方向入力欄１３３ｃ、資産入力欄１３３ｄ）に入力された入力データが、クライアント端末２から、金融商品取引管理システム１Ｂに送信される。また、顧客が計算ボタン１３４をクリックすると、クライアント端末２の入力画面は、第１入力画面１３０Ａから第２入力画面１３０Ｂ（図１０を参照）に切り替わる。
【０１０５】
金融商品取引管理システム１Ｂは、上述の入力データを受け取る。金融商品取引管理システム１Ｂの価格候補決定部１２０は、クライアント端末２から受け取った入力データと相場価格とに基づいて、第１買い注文トリガー価格ＢＴ１の候補および第２買い注文トリガー価格ＢＴ２の候補を含む複数のトリガー価格候補を決定する。
【０１０６】
複数のトリガー価格候補が生成されると、金融商品取引管理システム１Ｂの送信部１１０は、生成された複数のトリガー価格候補、および、当該複数のトリガー価格候補をクライアント端末２の第２入力画面１３０Ｂに表示させる指令を、クライアント端末２に送信する。
【０１０７】
図１０に記載の例では、第１買い注文トリガー価格ＢＴ１の価格候補として、１００．００円が表示され、第２買い注文トリガー価格ＢＴ２の価格候補として、９５．００円が表示され、第３買い注文トリガー価格ＢＴ３の価格候補として、９０．００円が表示されている。また、図１０に記載の例では、第１売り希望価格ＳＤ１の価格候補として、１０５．００円が表示され、第２売り希望価格ＳＤ２の価格候補として、１００．００円が表示され、第３売り希望価格ＳＤ３の価格候補として、９５．００円が表示されている。買い注文トリガー価格の価格候補を決定するためのアルゴリズム、および、売り希望価格の価格候補を決定するためのアルゴリズムについては後述される。
【０１０８】
図１０に記載の例では、第２入力画面１３０Ｂに、取引対象金融商品の過去の相場の変動を示すチャート１３９が表示されている。また、第２入力画面１３０Ｂに、取引対象の金融商品の種類（より具体的には、通貨ペア）を示すデータ、注文の種類を示すデータ、参照期間を示すデータ、想定変動幅を示すデータ、ポジション方向を示すデータ、対象資産を示すデータが表示されている。
【０１０９】
また、図１０に記載の例では、新規注文予約の１本あたりの取引数量の入力を受け付ける取引数量入力欄１３６が表示されている。なお、隣接する２つの買い注文トリガー価格間の間隔Ｇには制限（例えば、１０ＰＩＰ＝取引レートの最小単位の１０倍等）がある。このため、想定変動幅内に分散可能な新規注文予約の本数にも制限がある。よって、想定変動幅に対して、対象資産の金額が大きい場合には、新規注文予約の本数を増やす代わりに、取引数量入力欄１３６に「１」以外の数量を入力することによりサイクル取引で運用する資産を増加させることができる。
【０１１０】
また、図１０に示されるように、第２入力画面１３０Ｂには、参考レートが表示されるようにしてもよい。参考レートは、例えば、取引対象金融商品の現在の相場価格、または、上述の計算ボタン１３４がクリックされた時点での取引対象金融商品の相場価格である。
【０１１１】
図１０に記載の例では、第２入力画面１３０Ｂに注文予約ボタン１３７が含まれている。注文予約ボタン１３７をクリックすると、第１買い注文予約ＢＲ１および第２買い注文予約ＢＲ２を含む複数の新規注文予約が、クライアント端末２から、金融商品取引管理システム１Ｂに送信される。また、顧客が注文予約ボタン１３７をクリックすると、第１売り注文予約および第２売り注文予約を含む複数の決済注文予約が、クライアント端末２から、金融商品取引管理システム１Ｂに送信される。また、第２入力画面１３０Ｂが、取引数量入力欄１３６を含む場合には、顧客が注文予約ボタン１３７をクリックすると、新規注文予約の１本あたりの取引数量を示すデータが、クライアント端末２から、金融商品取引管理システム１Ｂに送信される。
【０１１２】
なお、相場価格が変動して、相場価格が、複数の買い注文トリガー価格のうち、２番目に高い買い注文トリガー価格以下となった場合には、注文予約ボタン１３７をクリックしても、注文予約が行われないことが好ましい。１番目に高い買い注文トリガー価格（ＢＴ１）を下回ることに起因して生成される成行買い注文と、２番目に高い買い注文トリガー価格（ＢＴ２）を下回ることに起因して生成される成行買い注文とが同時に出されることを避けるためである。
【０１１３】
（価格候補決定部１２０が買い注文トリガー価格の価格候補を決定するアルゴリズムの一例）
次に、価格候補決定部１２０が、第１買い注文トリガー価格ＢＴ１の価格候補および第２買い注文トリガー価格ＢＴ２の価格候補を含む複数の価格候補を決定するアルゴリズムの一例について説明する。
【０１１４】
価格候補決定部１２０は、想定変動幅のデータ（想定変動幅入力欄１３３ｂに入力されたデータ）と、対象資産の金額のデータ（資産入力欄１３３ｄに入力されたデータ）とに基づいて、新規注文予約の本数を算出する。新規注文予約の本数は、サイクル取引の実行中に、顧客が取り得る最大ポジションの数に対応する。
【０１１５】
新規注文予約の本数は、例えば、全ての新規注文予約に基づく全ての成行注文が成立した場合でも、対象資産の金額が、全ての成行注文成立後に必要とされる証拠金（ポジション維持のための証拠金）を上回るとの条件を満たすように設定される。この場合、価格候補決定部１２０は、例えば、想定変動幅と対象資産の金額とに基づいて、当該条件を満たしつつ、新規注文予約の本数が最大化されるように新規注文予約の本数を算出する。
【０１１６】
上述の例では、新規注文予約の本数は、金融商品取引管理システム１Ｂが自動的に決定する。代替的に、新規注文予約の本数は、顧客の入力により決定されるようにしてもよい。この場合、価格候補決定部１２０は、新規注文予約の本数を算出する必要はない。
【０１１７】
新規注文予約の本数が「ｍ」であるとき、複数の新規注文予約には、第１買い注文予約乃至第ｍ買い注文予約が含まれることとなる。図１０に記載の例では、新規注文予約の本数が「３」であり、複数の新規注文予約には、第１買い注文予約ＢＲ１、第２買い注文予約ＢＲ２、および、第３買い注文予約ＢＲ３が含まれる。
【０１１８】
続いて、相場価格が１００．１円（１ＵＳＤ＝１００．１円）であり、新規注文予約の本数が３個であり、想定変動幅が１５円である場合を想定する。この場合、価格候補決定部１２０は、想定変動幅（１５円）／新規注文予約の本数（３個）を計算し、価格候補間の間隔を、５円（１５／３＝５）に決定する。また、価格候補決定部１２０は、ポジション方向が「買」方向である時、例えば、相場価格１００．１円よりも所定価格（例えば、０．１円）低い価格を第１買い注文トリガー価格ＢＴ１の価格候補（例えば、１００円）に決定する。なお、上述の相場価格は、例えば、第１入力画面１３０Ａ上の計算ボタン１３４がクリックされた時点での相場価格である。
【０１１９】
また、価格候補決定部１２０は、例えば、第１買い注文トリガー価格ＢＴ１の価格候補（例えば、１００円）と、価格候補間の間隔（例えば、５円）と、新規注文予約の本数（例えば、３個）とに基づいて、第２買い注文トリガー価格ＢＴ２の価格候補（例えば、９５円）、第３買い注文トリガー価格ＢＴ３の価格候補（例えば、９０円）を決定する。
【０１２０】
上述の例では、想定変動幅に基づいて、第１買い注文トリガー価格ＢＴ１の価格候補、第２買い注文トリガー価格ＢＴ２の価格候補を含む複数の価格候補を決定する。より具体的には、価格候補決定部１２０は、新規注文予約の本数、相場価格、ポジション方向、および、想定変動幅に基づいて、第１買い注文トリガー価格ＢＴ１の価格候補、第２買い注文トリガー価格ＢＴ２の価格候補を含む複数の価格候補を決定する。しかし、各買い注文トリガー価格の価格候補を決定するアルゴリズムは、上述のアルゴリズムに限定されない。また、上述の例では、価格候補間の間隔が一定（例えば、５円）であるが、価格候補間の間隔は、一定でなくてもよい。
【０１２１】
（価格候補決定部１２０が売り希望価格の価格候補を決定するアルゴリズムの一例）
次に、価格候補決定部１２０が、第１売り希望価格ＳＤ１の価格候補および第２売り希望価格ＳＤ２の価格候補を含む複数の価格候補を決定するアルゴリズムの一例について説明する。
【０１２２】
価格候補決定部１２０は、第１買い注文トリガー価格ＢＴ１の価格候補よりも所定の第１価格（例えば、「５円」）だけ高い価格を、第１売り希望価格ＳＤ１の価格候補として決定してもよい。価格候補決定部１２０は、第２買い注文トリガー価格ＢＴ２の価格候補よりも所定の第２価格（例えば、「５円」）だけ高い価格を、第２売り希望価格ＳＤ２の価格候補として決定してもよい。同様に、価格候補決定部１２０は、第３買い注文トリガー価格ＢＴ３よりも所定の第３価格（例えば、「５円」）だけ高い価格を、第３売り希望価格ＳＤ３の価格候補として決定してもよい。図１０に記載の例では、上述の第１価格は第２価格と等しく、上述の第２価格は第３価格と等しい。また、第１価格は、第１買い注文トリガー価格ＢＴ１の価格候補と第２買い注文トリガー価格ＢＴ１の価格候補との間の差分（換言すれば、トリガー価格の価格候補間の間隔）と等しい。
【０１２３】
なお、各売り希望価格の価格候補を決定するアルゴリズムは、上述のアルゴリズムに限定されない。
【０１２４】
価格候補決定部１２０が、第１買い注文トリガー価格ＢＴ１の価格候補、および、第２買い注文トリガー価格ＢＴ２の価格候補を含む複数の価格候補を決定し、第１売り希望価格ＳＤ１の価格候補、および、第２売り希望価格ＳＤ２の価格候補を含む複数の価格候補を決定すると、送信部１１０は、当該複数の価格候補をクライアント端末２に送信する。
【０１２５】
顧客は、クライアント端末２によって受信された複数の価格候補を参考にして、複数の買い注文トリガー価格および複数の売り希望価格を決定することができる。
【０１２６】
図１０に記載の例では、第１買い注文トリガー価格ＢＴ１の価格候補（例えば、１００円）と、第２売り希望価格ＳＤ２の価格候補（例えば、１００円）とが一致し、第２買い注文トリガー価格ＢＴ２の価格候補（例えば、９５円）と、第３売り希望価格ＳＤ３の価格候補（例えば、９５円）とが一致している。換言すれば、第ｎ買い注文トリガー価格ＢＴｎの価格候補と、第ｎ＋１売り希望価格ＳＤｎ＋１の価格候補とが一致している。
【０１２７】
図１０に記載の例では、第ｎ買い注文トリガー価格と第ｎ売り希望価格との間の価格帯（例えば、ｎ＝１の時には、１００円〜１０５円の価格帯）と、第ｎ＋１買い注文トリガー価格と第ｎ＋１売り希望価格との間の価格帯（例えば、ｎ＝１の時には、９５円〜１００円の価格帯）との間に隙間がない。このため、価格帯間の隙間内で相場価格が変動することにより、顧客の利益機会が減少するという事態が避けられる。
【０１２８】
図１０に記載の例では、第ｎ買い注文トリガー価格と第ｎ売り希望価格との間の価格帯（例えば、ｎ＝１の時には、１００円〜１０５円の価格帯）と、第ｎ＋１買い注文トリガー価格と第ｎ＋１売り希望価格との間の価格帯（例えば、ｎ＝１の時には、９５円〜１００円の価格帯）とが互いにオーバーラップしていない。換言すれば、各買い注文トリガー価格に対する利幅が過剰に設定されていない。このため、取引相場の変動振幅が小さい場合であっても、顧客の利益機会が確保される。
【０１２９】
図１０に記載の例では、買い注文トリガー価格の価格候補（例えば、１００円、９５円、９０円等）を参考にしつつ、顧客は、買い注文トリガー価格を変更可能である。代替的に、顧客による買い注文トリガー価格の変更が不可能に設定されていてもよい。この場合、顧客は、買い注文トリガー価格の価格候補を、買い注文トリガー価格として追認するか、あるいは、追認せずに、取引を中止するかを選択することとなる。同様に、図１０に記載の例では、売り希望価格の価格候補（例えば、１０５円、１００円、９５円）を参考にしつつ、顧客は、売り希望価格を変更可能である。代替的に、顧客による売り希望価格の変更が不可能に設定されていてもよい。
【０１３０】
なお、図１０に記載の例において、顧客が、第ｎ買い注文トリガー価格ＢＴｎの価格候補の値を変更すると、第ｎ＋１売り希望価格ＳＤｎ＋１の価格候補の値が、自動的に、第ｎ買い注文トリガー価格ＢＴｎの価格候補の値と一致するように変更されるようにしてもよい。同様に、顧客が、第ｎ＋１売り希望価格ＳＤｎ＋１の価格候補の値を変更すると、第ｎ買い注文トリガー価格ＢＴｎの価格候補の値が、自動的に、第ｎ＋１売り希望価格ＳＤｎ＋１の価格候補の値と一致するように変更されるようにしてもよい。この場合、顧客が価格候補の値を変更した場合であっても、価格帯間に隙間がない状態、および、価格帯同士が互いにオーバーラップしない状態が維持される。しかし、顧客が、価格帯間に隙間がない状態、および、価格帯同士が互いにオーバーラップしない状態を維持する必要を感じないのであれば、価格帯間に隙間ができるように各価格候補の値を変更すること、および／または、価格帯同士が互いにオーバーラップするように各価格候補の値を変更することが許容されてもよい。
【０１３１】
第２の実施形態における金融商品取引管理システム１Ｂが、価格候補決定部１２０および送信部１１０を備える場合、顧客は、過去の相場変動についての専門知識を有さない場合であっても、提示される複数の価格候補を参考にして、より適切に、複数の買い注文トリガー価格および複数の売り希望価格を決定することができる。その結果、取引対象金融商品の相場が反転する前に顧客の対象資産が底をつくような事態を極力回避することが可能となる。
【０１３２】
（金融商品取引管理方法）
図１１Ａ乃至図１１Ｃを参照して、第２の実施形態における金融商品取引管理方法について説明する。図１１Ａ乃至図１１Ｃは、第２の実施形態における金融商品取引管理方法の一例を示すフローチャートである。
【０１３３】
第２の実施形態における金融商品取引管理方法は、金融商品取引管理システム１によって新規買い注文と決済注文とを繰り返し実行する金融商品取引管理方法である。上述の金融商品取引管理システム１は、第２の実施形態における金融商品取引管理システム１Ｂであってもよいし、その他の金融商品取引管理システムであってもよい。
【０１３４】
第１ステップＳＴ１０１において、金融商品取引管理システム１は、クライアント端末２から、取引対象金融商品の種類を示すデータ、および、注文の種類を示すデータを受信する。
【０１３５】
第２ステップＳＴ１０２において、金融商品取引管理システム１は、クライアント端末２から受信した注文の種類を示すデータが、サイクル取引を示すデータであるか否かを判定する。注文の種類を示すデータが、サイクル取引を示すデータでない場合（第２ステップＳＴ２：「Ｎｏ」）、サイクル取引以外の手続きに進む。注文の種類を示すデータが、サイクル取引を示すデータである場合、第３ステップＳＴ１０３に進む。
【０１３６】
第３ステップＳＴ１０３において、金融商品取引管理システム１は、サイクル取引の情報入力欄１３３を画面１３０に表示させるための指令を、クライアント端末２に送信する。
【０１３７】
第４ステップＳＴ１０４において、クライアント端末２（より具体的には、参照期間入力欄１３３ａ）に、参照期間が入力されると、クライアント端末２は、入力された参照期間を金融商品取引管理システム１に送信する。金融商品取引管理システム１は、クライアント端末２から参照期間を示すデータを受信すると、受信した参照期間を示すデータに基づいて、想定変動幅の候補値を算出する。
【０１３８】
第５ステップＳＴ１０５において、金融商品取引管理システム１は、算出された想定変動幅の候補値、および、当該候補値を想定変動幅入力欄１３３ｂに表示させる指令を、クライアント端末２に送信する。その後、顧客は、クライアント端末２の画面１３０に表示された想定変動幅の候補値を参照しつつ、想定変動幅を決定する。なお、想定変動幅の候補値をそのまま想定変動幅として追認することも、想定変動幅を決定することに含まれる。
【０１３９】
第６ステップＳＴ１０６において、顧客は、ポジション方向入力欄１３３ｃに、ポジション方向を入力し、資産入力欄１３３ｄに対象資産を入力する。その後、クライアント端末２の画面１３０上に表示された計算ボタン１３４がクリックされると、クライアント端末２は、想定変動幅を示すデータ、ポジション方向を示すデータ、および、対象資産を示すデータを、金融商品取引管理システム１に送信する。
【０１４０】
金融商品取引管理システム１は、クライアント端末２から想定変動幅を示すデータ、ポジション方向を示すデータ、および、対象資産を示すデータを受信する。
【０１４１】
第７ステップＳＴ１０７において、金融商品取引管理システム１（より具体的には、価格候補決定部１２０）は、想定変動幅を示すデータと対象資産の金額を示すデータとに基づいて、新規注文予約の本数を算出する。
【０１４２】
第８ステップＳＴ１０８において、金融商品取引管理システム１（より具体的には、価格候補決定部１２０）は、算出された新規注文予約の本数、相場価格、ポジション方向を示すデータ、および、想定変動幅を示すデータに基づいて、第１買い注文トリガー価格の価格候補および第２買い注文トリガー価格の価格候補を含む複数のトリガー価格候補を決定する。
【０１４３】
また、金融商品取引管理システム１（より具体的には、価格候補決定部１２０）は、第１買い注文トリガー価格の価格候補および第１買い注文トリガー価格の価格候補を含む複数のトリガー価格候補に基づいて、第１売り希望価格の価格候補および第２売り希望価格の価格候補を含む複数の売り価格候補を決定する。
【０１４４】
第９ステップＳＴ１０９において、金融商品取引管理システム１は、決定された複数のトリガー価格候補および複数の売り価格候補、並びに、これらの価格候補をクライアント端末２の画面１３０に表示させる指令を、クライアント端末２に送信する。
【０１４５】
第９ステップＳＴ１０９の完了後、顧客は、クライアント端末２の画面１３０に表示された複数のトリガー価格候補および複数の売り価格候補を参照しつつ、第１買い注文トリガー価格および第２買い注文トリガー価格を含む複数の買い注文トリガー価格、および、第１売り希望価格および第２売り希望価格を含む複数の売り希望価格を決定する。なお、複数のトリガー価格候補および複数の売り価格候補を、そのまま複数の買い注文トリガー価格および複数の売り希望価格として追認することも、複数の買い注文トリガー価格および複数の売り希望価格を決定することに含まれる。
【０１４６】
その後、クライアント端末２の画面１３０上に表示された注文予約ボタン１３７がクリックされると、複数の新規注文予約、および、複数の決済注文予約が、クライアント端末２から、金融商品取引管理システム１に送信される。付加的に、新規注文予約の１本あたりの取引数量を示すデータが、クライアント端末２から、金融商品取引管理システム１に送信されてもよい。
【０１４７】
第１０ステップＳＴ１１０において、金融商品取引管理システム１は、クライアント端末２から複数の新規注文予約と複数の決済注文予約を受信する。
【０１４８】
第１０ステップＳＴ１１０は、第１の実施形態における第１ステップＳＴ１と同様である。また、第２の実施形態における金融商品取引管理方法の第１１ステップＳＴ１１１は、第１の実施形態における第２ステップＳＴ２と同様であり、第１２ステップＳＴ１１２は、第１の実施形態における第３ステップＳＴ３と同様であり、第１３ステップＳＴ１１３は、第１の実施形態における第４ステップＳＴ４と同様であり、第１４ステップＳＴ１１４は、第１の実施形態における第５ステップＳＴ５と同様である。このため、第１０ステップＳＴ１１０乃至第１４ステップＳＴ１１４についての繰り返しとなる説明は省略する。
【０１４９】
第２の実施形態における金融商品取引管理方法は、第２の実施形態における金融商品取引管理システムと同様の効果を奏する。
【０１５０】
上述の第２の実施形態では、決済注文が指値注文である例について説明された。代替的に、決済注文は、成行注文であってもよい。
【０１５１】
上述の第２の実施形態では、新規注文が買い注文であり、決済注文が売り注文である例について説明された。代替的に、新規注文が売り注文であり、決済注文が買い注文であってもよい。この場合、上述の第２の実施形態の説明において、「買い」、「買」、「売り」、「売」、「購入」、「売却」、「１０５円」、「１００円」、「９５円」、「９０円」を、それぞれ、「売り」、「売」、「買い」、「買」、「売却」、「購入」、「９５円」、「１００円」、「１０５円」、「１１０円」に読み替えれば、新規注文が売り注文であり、決済注文が買い注文である場合の説明となる。
【０１５２】
本発明は上記各実施形態に限定されず、本発明の技術思想の範囲内において、各実施形態は適宜変形又は変更され得ることは明らかである。また、各実施形態で用いられる種々の技術は、技術的矛盾が生じない限り、他の実施形態にも適用可能である。さらに、各実施形態における任意付加的な構成および／または工程は、適宜省略可能である。
【０１５３】
例えば、決済注文（指値決済注文等）は、ストップロス注文（逆指値注文）と共に用いられてもよい。この場合、決済注文およびストップロス注文のうちのいずれか一方が約定すると、決済注文およびストップロス注文のうちの他方がキャンセルされる。
【符号の説明】
【０１５４】
１、１Ａ、１Ｂ：金融商品取引管理システム
２          ：クライアント端末
３          ：取引市場
１０        ：コンピュータ
２０        ：記憶装置
３０、３０Ａ、３０Ｂ：通信インターフェース
４０        ：相場情報取得部
５０        ：受信部
６０        ：注文予約管理部
７０        ：注文生成部
８０        ：注文送信部
９０        ：証拠金管理部
１１０      ：送信部
１２０      ：価格候補決定部
１３０      ：画面
１３０Ａ    ：第１入力画面
１３０Ｂ    ：第２入力画面
１３１      ：第１入力欄
１３２      ：第２入力欄
１３３      ：情報入力欄
１３３ａ    ：参照期間入力欄
１３３ｂ    ：想定変動幅入力欄
１３３ｃ    ：ポジション方向入力欄
１３３ｄ    ：資産入力欄
１３４      ：計算ボタン
１３６      ：取引数量入力欄
１３７      ：注文予約ボタン
１３９      ：チャート
ＢＲｎ      ：第ｎ買い注文予約
ＢＴｎ      ：第ｎ買い注文トリガー価格
Ｎ１、Ｎ２  ：ネットワーク
ＳＤｎ      ：第ｎ売り希望価格
ＳＲｎ      ：第ｎ売り注文予約
【図１】
2019091388.tif 000003
【図２】
2019091388.tif 000004
【図３】
2019091388.tif 000005
【図４】
2019091388.tif 000006
【図５】
2019091388.tif 000007
【図６】
2019091388.tif 000008
【図７】
2019091388.tif 000009
【図８】
2019091388.tif 000010
【図９】
2019091388.tif 000011
【図１０】
2019091388.tif 000012
【図１１Ａ】
2019091388.tif 000013
【図１１Ｂ】
2019091388.tif 000014
【図１１Ｃ】
2019091388.tif 000015
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
金融商品取引管理システムによって新規買い注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成工程は、
相場価格が、前記第１買い注文トリガー価格になると、前記第１買い注文予約を第１成行買い注文に変換することと、
前記相場価格が、前記第２買い注文トリガー価格になると、前記第２買い注文予約を第２成行買い注文に変換することと、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換することと、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換することと
を含み、
前記注文予約再生工程は、
前記第１指値売り注文の約定または前記第１成行売り注文予約に基づく第１成行売り注文の約定をトリガーとして、前記第１買い注文トリガー価格を含む前記第１買い注文予約を再生すること
を含み、
前記金融商品取引管理システムによって取引される金融商品は、外国為替または株式である
金融商品取引管理方法。
【請求項２】
前記第１買い注文予約が、前記第１成行買い注文に変換されるまでは、顧客資産を前記第１買い注文予約に伴う証拠金として拘束しない
請求項１に記載の金融商品取引管理方法。
【請求項３】
第１買い注文トリガー価格候補および第２買い注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１買い注文トリガー価格候補および前記第２買い注文トリガー価格候補を含む前記複数のトリガー価格候補を決定することを含む
請求項１または２に記載の金融商品取引管理方法。
【請求項４】
金融商品取引管理システムによって新規売り注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成工程は、
相場価格が、前記第１売り注文トリガー価格になると、前記第１売り注文予約を第１成行売り注文に変換することと、
前記相場価格が、前記第２売り注文トリガー価格になると、前記第２売り注文予約を第２成行売り注文に変換することと、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換することと、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換することと
を含み、
前記注文予約再生工程は、
前記第１指値買い注文の約定または前記第１成行買い注文予約に基づく第１成行買い注文の約定をトリガーとして、前記第１売り注文トリガー価格を含む前記第１売り注文予約を再生すること
を含み、
前記金融商品取引管理システムによって取引される金融商品は、外国為替または株式である
金融商品取引管理方法。
【請求項５】
前記第１売り注文予約が、前記第１成行売り注文に変換されるまでは、顧客資産を前記第１売り注文予約に伴う証拠金として拘束しない
請求項１に記載の金融商品取引管理方法。
【請求項６】
第１売り注文トリガー価格候補および第２売り注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１売り注文トリガー価格候補および前記第２売り注文トリガー価格候補を含む前記複数のトリガー価格候補を決定することを含む
請求項４または５に記載の金融商品取引管理方法。
【請求項７】
新規買い注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成部は、
相場価格が、前記第１買い注文トリガー価格になると、前記第１買い注文予約を第１成行買い注文に変換し、
前記相場価格が、前記第２買い注文トリガー価格になると、前記第２買い注文予約を第２成行買い注文に変換し、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換し、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換し、
前記注文予約管理部は、
前記第１指値売り注文の約定または前記第１成行売り注文予約に基づく第１成行売り注文の約定をトリガーとして、前記第１買い注文トリガー価格を含む前記第１買い注文予約を再生し、
前記第２指値売り注文の約定または前記第２成行売り注文予約に基づく第２成行売り注文の約定をトリガーとして、前記第２買い注文トリガー価格を含む前記第２買い注文予約を再生し、
金融商品としての外国為替または株式を取引する
金融商品取引管理システム。
【請求項８】
新規売り注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成部は、
相場価格が、前記第１売り注文トリガー価格になると、前記第１売り注文予約を第１成行売り注文に変換し、
前記相場価格が、前記第２売り注文トリガー価格になると、前記第２売り注文予約を第２成行売り注文に変換し、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換し、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換し、
前記注文予約管理部は、
前記第１指値買い注文の約定または前記第１成行買い注文予約に基づく第１成行買い注文の約定をトリガーとして、前記第１売り注文トリガー価格を含む前記第１売り注文予約を再生し、
前記第２指値買い注文の約定または前記第２成行買い注文予約に基づく第２成行買い注文の約定をトリガーとして、前記第２売り注文トリガー価格を含む前記第２売り注文予約を再生し、
金融商品としての外国為替または株式を取引する
金融商品取引管理システム。
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
金融商品取引管理システムによって新規買い注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成工程は、
相場価格が、前記第１買い注文トリガー価格になると、前記第１買い注文予約を第１成行買い注文に変換することと、
前記相場価格が、前記第２買い注文トリガー価格になると、前記第２買い注文予約を第２成行買い注文に変換することと、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換することと、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換することと
を含み、
前記注文予約再生工程は、
前記第１指値売り注文の約定または前記第１成行売り注文予約に基づく第１成行売り注文の約定をトリガーとして、前記第１買い注文トリガー価格を含む前記第１買い注文予約を再生すること
を含み、
前記金融商品取引管理システムのコンピュータは、記憶装置に記憶されたプログラムを実行することにより、証拠金管理部として機能し、
前記金融商品取引管理システムは、前記第１買い注文予約が、前記第１成行買い注文に変換されるまでは、前記第１買い注文予約に対応する前記第１成行買い注文を取引市場に送信せず、且つ、前記証拠金管理部は、前記第１買い注文予約が、前記第１成行買い注文に変換されるまでは、顧客資産を前記第１買い注文予約に伴う証拠金として拘束せず、
前記相場価格が、前記第１買い注文トリガー価格になると、前記金融商品取引管理システムは、前記第１買い注文予約に対応する前記第１成行買い注文が全約定するように、前記第１買い注文予約を前記第１成行買い注文に変換して前記第１成行買い注文を前記取引市場に送信し、且つ、前記証拠金管理部は、前記第１成行買い注文の生成または約定に応じて、顧客資産の一部を、ポジション保有に伴う証拠金として拘束し、
前記金融商品取引管理システムは、前記相場価格が、前記第１買い注文トリガー価格になると、前記第１買い注文予約に対応する前記第１成行買い注文が全約定するように、前記第１買い注文トリガー価格よりも高い価格で前記第１成行買い注文が約定することを許容し、
前記金融商品取引管理システムによって取引される金融商品は、外国為替または株式である
金融商品取引管理方法。
【請求項２】
第１買い注文トリガー価格候補および第２買い注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１買い注文トリガー価格候補および前記第２買い注文トリガー価格候補を含む前記複数のトリガー価格候補を決定することを含む
請求項１に記載の金融商品取引管理方法。
【請求項３】
金融商品取引管理システムによって新規売り注文と決済注文とを繰り返し実行する金融商品取引管理方法であって、
前記金融商品取引管理システムが、クライアント端末から複数の新規注文予約と複数の決済注文予約を受信する工程と、
前記金融商品取引管理システムが、前記複数の新規注文予約および前記複数の決済注文予約のうちの少なくとも１つの注文予約に基づいて注文を生成する注文生成工程と、
前記金融商品取引管理システムが、前記複数の新規注文予約のうちの少なくとも一つを再生する注文予約再生工程と
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成工程は、
相場価格が、前記第１売り注文トリガー価格になると、前記第１売り注文予約を第１成行売り注文に変換することと、
前記相場価格が、前記第２売り注文トリガー価格になると、前記第２売り注文予約を第２成行売り注文に変換することと、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換することと、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換することと
を含み、
前記注文予約再生工程は、
前記第１指値買い注文の約定または前記第１成行買い注文予約に基づく第１成行買い注文の約定をトリガーとして、前記第１売り注文トリガー価格を含む前記第１売り注文予約を再生すること
を含み、
前記金融商品取引管理システムのコンピュータは、記憶装置に記憶されたプログラムを実行することにより、証拠金管理部として機能し、
前記金融商品取引管理システムは、前記第１売り注文予約が、前記第１成行売り注文に変換されるまでは、前記第１売り注文予約に対応する前記第１成行売り注文を取引市場に送信せず、且つ、前記証拠金管理部は、前記第１売り注文予約が、前記第１成行売り注文に変換されるまでは、顧客資産を前記第１売り注文予約に伴う証拠金として拘束せず、
前記相場価格が、前記第１売り注文トリガー価格になると、前記金融商品取引管理システムは、前記第１売り注文予約に対応する前記第１成行売り注文が全約定するように、前記第１売り注文予約を前記第１成行売り注文に変換して前記第１成行売り注文を前記取引市場に送信し、且つ、前記証拠金管理部は、前記第１成行売り注文の生成または約定に応じて、顧客資産の一部を、ポジション保有に伴う証拠金として拘束し、
前記金融商品取引管理システムは、前記相場価格が、前記第１売り注文トリガー価格になると、前記第１売り注文予約に対応する前記第１成行売り注文が全約定するように、前記第１売り注文トリガー価格よりも低い価格で前記第１成行売り注文が約定することを許容し、
前記金融商品取引管理システムによって取引される金融商品は、外国為替または株式である
金融商品取引管理方法。
【請求項４】
第１売り注文トリガー価格候補および第２売り注文トリガー価格候補を含む複数のトリガー価格候補を決定するトリガー価格候補決定工程と、
前記クライアント端末に前記複数のトリガー価格候補を送信する送信工程と
を更に具備し、
前記トリガー価格候補決定工程は、取引対象金融商品の想定変動幅データに基づいて、前記第１売り注文トリガー価格候補および前記第２売り注文トリガー価格候補を含む前記複数のトリガー価格候補を決定することを含む
請求項３に記載の金融商品取引管理方法。
【請求項５】
新規買い注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と、
記憶装置に記憶されたプログラムを実行することにより、証拠金管理部として機能するコンピュータと
を具備し、
前記複数の新規注文予約は、
第１買い注文トリガー価格を含む第１買い注文予約と、
第２買い注文トリガー価格を含む第２買い注文予約と
を含み、
前記複数の決済注文予約は、
第１売り希望価格を含む第１売り注文予約と、
第２売り希望価格を含む第２売り注文予約と
を含み、
前記注文生成部は、
相場価格が、前記第１買い注文トリガー価格になると、前記第１買い注文予約を第１成行買い注文に変換し、
前記相場価格が、前記第２買い注文トリガー価格になると、前記第２買い注文予約を第２成行買い注文に変換し、
前記第１成行買い注文の生成又は約定を条件として、前記第１売り注文予約を、前記第１売り希望価格を指値価格とする第１指値売り注文または前記第１売り希望価格を注文トリガー価格とする第１成行売り注文予約に変換し、
前記第２成行買い注文の生成又は約定を条件として、前記第２売り注文予約を、前記第２売り希望価格を指値価格とする第２指値売り注文または前記第２売り希望価格を注文トリガー価格とする第２成行売り注文予約に変換し、
前記注文予約管理部は、
前記第１指値売り注文の約定または前記第１成行売り注文予約に基づく第１成行売り注文の約定をトリガーとして、前記第１買い注文トリガー価格を含む前記第１買い注文予約を再生し、
前記第２指値売り注文の約定または前記第２成行売り注文予約に基づく第２成行売り注文の約定をトリガーとして、前記第２買い注文トリガー価格を含む前記第２買い注文予約を再生し、
前記金融商品取引管理システムは、前記第１買い注文予約が、前記第１成行買い注文に変換されるまでは、前記第１買い注文予約に対応する前記第１成行買い注文を取引市場に送信せず、且つ、前記証拠金管理部は、前記第１買い注文予約が、前記第１成行買い注文に変換されるまでは、顧客資産を前記第１買い注文予約に伴う証拠金として拘束せず、
前記相場価格が、前記第１買い注文トリガー価格になると、前記金融商品取引管理システムは、前記第１買い注文予約に対応する前記第１成行買い注文が全約定するように、前記第１買い注文予約を前記第１成行買い注文に変換して前記第１成行買い注文を前記取引市場に送信し、且つ、前記証拠金管理部は、前記第１成行買い注文の生成または約定に応じて、顧客資産の一部を、ポジション保有に伴う証拠金として拘束し、
前記金融商品取引管理システムは、前記相場価格が、前記第１買い注文トリガー価格になると、前記第１買い注文予約に対応する前記第１成行買い注文が全約定するように、前記第１買い注文トリガー価格よりも高い価格で前記第１成行買い注文が約定することを許容し、
金融商品としての外国為替または株式を取引する
金融商品取引管理システム。
【請求項６】
新規売り注文と決済注文とを繰り返し実行可能な金融商品取引管理システムであって、
クライアント端末から複数の新規注文予約と複数の決済注文予約を受信する受信部と、
前記複数の新規注文予約と前記複数の決済注文予約を記憶する記憶装置と、
前記複数の新規注文予約および前記複数の決済注文予約のうちの少なくとも１つの注文予約に基づいて注文を生成する注文生成部と、
注文予約管理部と、
記憶装置に記憶されたプログラムを実行することにより、証拠金管理部として機能するコンピュータと
を具備し、
前記複数の新規注文予約は、
第１売り注文トリガー価格を含む第１売り注文予約と、
第２売り注文トリガー価格を含む第２売り注文予約と
を含み、
前記複数の決済注文予約は、
第１買い希望価格を含む第１買い注文予約と、
第２買い希望価格を含む第２買い注文予約と
を含み、
前記注文生成部は、
相場価格が、前記第１売り注文トリガー価格になると、前記第１売り注文予約を第１成行売り注文に変換し、
前記相場価格が、前記第２売り注文トリガー価格になると、前記第２売り注文予約を第２成行売り注文に変換し、
前記第１成行売り注文の生成又は約定を条件として、前記第１買い注文予約を、前記第１買い希望価格を指値価格とする第１指値買い注文または前記第１買い希望価格を注文トリガー価格とする第１成行買い注文予約に変換し、
前記第２成行売り注文の生成又は約定を条件として、前記第２買い注文予約を、前記第２買い希望価格を指値価格とする第２指値買い注文または前記第２買い希望価格を注文トリガー価格とする第２成行買い注文予約に変換し、
前記注文予約管理部は、
前記第１指値買い注文の約定または前記第１成行買い注文予約に基づく第１成行買い注文の約定をトリガーとして、前記第１売り注文トリガー価格を含む前記第１売り注文予約を再生し、
前記第２指値買い注文の約定または前記第２成行買い注文予約に基づく第２成行買い注文の約定をトリガーとして、前記第２売り注文トリガー価格を含む前記第２売り注文予約を再生し、
前記金融商品取引管理システムは、前記第１売り注文予約が、前記第１成行売り注文に変換されるまでは、前記第１売り注文予約に対応する前記第１成行売り注文を取引市場に送信せず、且つ、前記証拠金管理部は、前記第１売り注文予約が、前記第１成行売り注文に変換されるまでは、顧客資産を前記第１売り注文予約に伴う証拠金として拘束せず、
前記相場価格が、前記第１売り注文トリガー価格になると、前記金融商品取引管理システムは、前記第１売り注文予約に対応する前記第１成行売り注文が全約定するように、前記第１売り注文予約を前記第１成行売り注文に変換して前記第１成行売り注文を前記取引市場に送信し、且つ、前記証拠金管理部は、前記第１成行売り注文の生成または約定に応じて、顧客資産の一部を、ポジション保有に伴う証拠金として拘束し、
前記金融商品取引管理システムは、前記相場価格が、前記第１売り注文トリガー価格になると、前記第１売り注文予約に対応する前記第１成行売り注文が全約定するように、前記第１売り注文トリガー価格よりも低い価格で前記第１成行売り注文が約定することを許容し、
金融商品としての外国為替または株式を取引する
金融商品取引管理システム。